(57)【要約】【課題】刃ヘッド部外方への髭の切りかすの飛散を防止できる電気カミソリの内刃の構造。【解決手段】髭を導入する刃孔を形成した外刃の内面に摺接して髭を切断する電気カミソリの内刃３である。略逆Ｕ字帯状に形成した複数枚の刃片７を基部より起立させて摺動方向に並べて設ける。各刃片７間の溝幅寸法Ａを１．５ｍｍ以下に設定する。各刃片７の内外方向の厚み寸法Ｂを上記溝幅寸法Ａの約１／２以下に設定する。【選択図】　　　　図１
2004016530.tif 000002
【特許請求の範囲】
【請求項１】
髭を導入する刃孔を形成した外刃の内面に摺接して髭を切断する電気カミソリの内刃であって、略逆Ｕ字帯状に形成した複数枚の刃片を基部より起立させて摺動方向に並べて設け、各刃片間の溝幅寸法を１．５ｍｍ以下に設定すると共に、この各刃片の内外方向の厚み寸法を上記溝幅寸法の約１／２以下に設定したことを特徴とする電気カミソリの内刃の構造。
【請求項２】
摺動方向における各刃片の幅寸法を、外周部で大とし、内周部で小とするように形成したことを特徴とする請求項１記載の電気カミソリの内刃の構造。
【請求項３】
各刃片の外周部及び内周部に、摺動方向に突出する突起部をそれぞれ設けると共に、内部突起部を外部突起部に比べて大きく突出するように形成したことを特徴とする請求項１記載の電気カミソリの内刃の構造。
【請求項４】
内刃の摺動方向の両端面を、非切断部位である面一の垂直面に形成したことを特徴とする請求項１記載の電気カミソリの内刃の構造。
【請求項５】
摺動方向の刃片の幅寸法を、基部に近接した部位程大きく形成したことを特徴とする請求項１記載の電気カミソリの内刃の構造。
【請求項６】
内刃を下方に開口せる略逆Ｕ字状に形成し、モータと内刃とを連結する継手部材を内刃の下方開口から内部に挿入したとき、継手部材の摺動方向の両端部に立設した縦壁の外周面が内刃の摺動方向の端部に位置した刃片の内面に当接すると共に、刃片の摺動方向の中央側端面よりも外位置に縦壁が位置するようにしたことを特徴とする請求項１に記載の電気カミソリの内刃の構造。
【発明の詳細な説明】
【０００１】
【発明の属する技術分野】
本発明は、電気カミソリの内刃の構造に関する発明である。
【０００２】
【従来の技術】
従来から、電気カミソリは、刃孔を形成した外刃の内面にモータの駆動によって摺接する内刃が配置されて刃ヘッド部が構成され、この刃ヘッド部を肌面に滑らせ、外刃の刃孔から髭を刃ヘッド部内に導入し、上記刃ヘッド部内に導入された髭を外刃と摺動する内刃との間で挟み切るようにして、髭剃りが行われている。切断した後の髭の切りかすは刃ヘッド部内に溜められるものであり、シェービング後に、水洗い、ブラシ掃除等の手段によってこの髭の切りかすを刃ヘッド部内から除去することで、電気カミソリを清潔に保つようにしている。
【０００３】
しかしながら、シェービング後に髭の切りかすを刃ヘッド部内から除去しなかった場合には、次回のシェービング時に、肌面に沿わせるように電気カミソリを上下左右に動かしたとき、除去されずに刃ヘッド部内に残留した髭の切りかすが刃ヘッド部内で移動をし、摺動する内刃に弾かれて刃ヘッド部の外方に飛散し、飛散した髭の切りかすによって髭剃りを行う洗面所等を汚してしまうという問題を有している。
【０００４】
電気カミソリの内刃としては、一般的に、外刃の内面に摺接する複数枚の刃片を基部より起立させて摺動方向に並べて設けて構成されているが、内刃の刃片における摺動方向に面する面積、つまり刃片の内外方向の厚み寸法が大きいと、刃ヘッド部内に残留した髭の切りかすが、内刃の摺動によって刃ヘッド部外に弾き飛ばされる恐れがある（図７参照）。しかして、特開平１１−１９３４４、特開平１０−５０２２７６、特開平１０−３２３４６１に示す内刃のように、刃片の形状を略逆Ｕ字状に形成し、髭の切りかすを刃ヘッド部の外方に飛散させないよう図ったものがある。しかしながら、刃片の形状を略逆Ｕ字状に形成して内刃を形成させるだけでは、刃ヘッド部内に残留した髭の切りかすの刃ヘッド部外への飛散は完全には防止できるものではなかった。
【０００５】
【発明が解決しようとする課題】
本発明は、上記の点に鑑みてなされたものであり、刃ヘッド部外方への髭の切りかすの飛散を防止できる電気カミソリの内刃の構造を提供することを課題とするものである。
【０００６】
【課題を解決するための手段】
上記課題を解決するために本発明に係る電気カミソリの内刃の構造は、髭を導入する刃孔９を形成した外刃４の内面に摺接して髭を切断する電気カミソリの内刃３であって、略逆Ｕ字帯状に形成した複数枚の刃片７を基部８より起立させて摺動方向に並べて設け、各刃片７間の溝幅寸法Ａを１．５ｍｍ以下に設定すると共に、この各刃片７の内外方向の厚み寸法Ｂを上記溝幅寸法Ａの約１／２以下に設定したことを特徴とする。これによると、刃片７の摺動方向に面する面積が小さくなり、刃片７間での髭の切りかすの跳ね返りの発生を少なくできるから、髭の切りかすの刃ヘッド部１外への飛散を防止できるのである。
【０００７】
また、摺動方向における各刃片７の幅寸法を、外周部で大とし、内周部で小とするように形成したことも好ましい。これによると、刃片７の外周部間の溝幅寸法を小さく、刃片７の内周部間の溝幅寸法を大きくでき、溝幅寸法が大きい刃片７の内周部間では、摺動する内刃３が巻き上げる髭の切りかすの刃片７間での跳ね返りを防止することができ、また、溝幅寸法が小さい刃片７の外周部間では、上記髭の切りかすの刃ヘッド部１外への飛散を防止することができ、したがって、髭の切りかすの刃ヘッド部１外への飛散を更に防止することができるのである。
【０００８】
また、各刃片７の外周部及び内周部に、摺動方向に突出する突起部３２をそれぞれ設けると共に、内部突起部３２ａを外部突起部３２ｂに比べて大きく突出するように形成したことも好ましい。これによると、外刃４と刃片７とで髭を剃るとき、まず、外部突起部３２ｂより大きく突出した内部突起部３２ａの突出先端によって髭を捕らえて引っ張り、次に、上記引っ張った状態の髭を外部突起部３２ｂにて切断することができるのであり、しかして、髭の深剃りを行えるようにできるのである。
【０００９】
また、内刃３の摺動方向の両端面を、非切断部位である面一の垂直面に形成したことも好ましい。これによると、内刃３に継手部材１６を装着させる際には、一方の手の指で内刃３の摺動方向の両端部を摘むと共に、他方の手の指で継手部材１６の摺動方向の両端部を摘んで行うのであるが、上述したように内刃３の摺動方向の両端部が、非切断部位の面一の垂直面に形成されていると、内刃３を摘む指を切って負傷してしまうことがなく、内刃３の安全性を高めることができる。なお、電気カミソリを使用しているユーザーにあっては、継手部材が装着された状態の内刃３を取り替えたりするが、取替にかかるユーザーの指が内刃３の摺動方向の両端部に触れたとしても指を切ってしまう恐れがなく、このときにも内刃３の安全性を確保できるのは言うまでもない。
【００１０】
また、摺動方向の刃片７の幅寸法を、基部８に近接した部位程大きく形成したことも好ましい。これによると、刃片７自身の剛性の向上を図ることができるのである。
【００１１】
また、内刃３を下方に開口せる略逆Ｕ字状に形成し、モータと内刃３とを連結する継手部材１６を内刃３の下方開口から内部に挿入したとき、継手部材１６の摺動方向の両端部に立設した縦壁２３の外周面が内刃３の摺動方向の端部に位置した刃片７の内面に当接すると共に、刃片７の摺動方向の中央側端面よりも外位置に縦壁２３が位置するようにしたことも好ましい。これによると、継手部材１６の摺動方向の両端部に立設した縦壁２３の外周面が内刃３の摺動方向の端部に位置した刃片７の内面に当接することで、継手部材１６を装着した内刃３の剛性の向上が図られるのであり、また、この縦壁２３は刃片７の摺動方向の中央側端面よりも外位置に位置するようにしたので、縦壁２３の当接する刃片７の中央側端面が縦壁２３よりも摺動方向の中央側に突出し、刃片７の中央側端面に確実に切り刃を設けることができると共に、摺動する内刃３によって巻き上げられた髭の切りかすが縦壁２３に当って跳ね返り、内刃３上方に飛び出ようとしても、縦壁２３よりも突出した刃片７がこの髭の切りかすを内刃３内に留めるように抑え、髭の切りかすの刃ヘッド部１外への飛散防止に資することができるのである。
【００１２】
【発明の実施の形態】
以下、本発明を添付図面に示す実施形態に基づいて説明する。
【００１３】
図１乃至図８に本発明の実施の形態の例を示す。図８には電気カミソリの斜視図を示す。この電気カミソリは、手で把持するグリップ部２の上部に刃部を備えた刃ヘッド部１を配置して構成されている。刃ヘッド部１は、モータの駆動により左右方向に摺動される内刃３と、内面に内刃３を摺接させる外刃４とを有している。外刃４は、粗剃り用のスリット外刃４ｂ、１対のネット外刃４ａで構成されており、それぞれ独立してフロート自在（上下移動可能）にヘッドカバー５に装着されている。このヘッドカバー５は１対の内刃３を上部に配置したヘッド部本体６に上方から被せ、上記内刃３を１対のネット外刃４の内面に当接させる。ここで、このネット外刃４に対応した内刃３は、ヘッド部本体６の上面から突出する駆動子にバネ付勢がされた状態で着脱自在に装着されているので、この内刃３はネット外刃４の内面に弾接されている。なお、スリット外刃４に対応する内刃３はヘッドカバー５に予め内装されている。
【００１４】
内刃３は、図２に示すように、板金をプレス曲げして下方及び摺動方向に開口せる略逆Ｕ字板状に形成されたものであり、具体的には、上方に突の略逆Ｕ字帯状に形成した複数枚の刃片７が摺動方向に並べて設けられ、それら刃片７の左右両側の下端部分がそれぞれ縦片状の基部８で繋がれて構成されている。この刃片７はその外周面が外刃４の内面に摺接され、外刃４の刃孔９に導入された髭を外刃４と刃片７とで挟み切るようにされるのである。なお、刃片７と基部８との連結部分はＲ形状２８に施され、基部８に立設する刃片７の強度が高められている。ここで、この内刃３の摺動方向の両端部に位置した刃片７は、通常の刃片７の幅寸法Ｃよりも大きい幅寸法Ｃ’を有しており、内刃３の摺動方向の端部における剛性補強を為している。この内刃３の摺動方向の両端部に位置した刃片７は、便宜上、ガード片１０と称する。また、基部８は、複数の刃片７を一体にする他に、モータの駆動子に装着した継手部材１６を内刃３に連結させる役割も有している。つまり、基部８の下端には、摺動方向の中央部分で下方に切り欠かれた抉り部１１が形成され、摺動方向の両端部分でそれぞれ１対の円孔部１２が形成されると共にこの１対の円孔部１２間に角孔部１３が形成されている。この円孔部１２の外縁の４箇所には孔中心に突出する薄肉状の薄肉突片１４が形成されている。また、基部８の摺動方向の両端部分には内外に貫通せる角窓部１５が形成されている。
【００１５】
内刃３とモータの駆動子とを連結する継手部材１６は、駆動子固定部１７を中央に有すると共に、この駆動子固定部１７の両外に内刃固定部１８を有して構成されている。駆動子固定部１７は、モータの駆動子に装着される部位であり、モータの駆動子にある上方に突のピンが挿着される駆動子装着孔１９が設けられている。内刃固定部１８は、内刃３を固定する部位であり、内刃３の円孔部１２に挿通してヒートシールによって内刃３への固定が為されるヒートシールボス２０、内刃３の角孔部１３に嵌め込んで位置決めがされる角突部２１、内刃３の角窓部１５の縁部に引っ掛け係合がされるフック２２が設けられている。しかして、継手部材１６を内刃３に装着するには、角突部２１を内刃３の角孔部１３に嵌め込んで位置決めさせ、フック２２を内刃３の角窓部１５の縁部に引っ掛け係合させ、ヒートシールボス２０を内刃３の円孔部１２に挿通させると共にヒートシールを行い、ヒートシールボス２０の円孔部１２への固定によって内刃３への固定が為されるものである。
【００１６】
また、摺動方向における内刃固定部１８の外端部には上方に突出した縦壁２３が設けられている。継手部材１６と内刃３とが装着した状態では、縦壁２３の外周縁が内刃３のガード片１０の内面に沿って当接され、つまり縦壁２３によって内刃３の摺動方向の両端部の補強が為される。ここで、継手部材１６を内刃３に装着するには、継手部材１６の両縦壁２３を摘んで行われるが、継手部材１６を摘む部分である縦壁２３の摺動方向の外側面には、波型突起２４が形成されていて、継手部材１６を摘んだ指の滑り止めが施されている。また、この継手部材１６には上下に貫通した髭クズ落とし孔２５が穿設されている。この髭クズ落とし孔２５は、内刃３で切断された髭の切りかすを継手部材１６の下方に落とすための部位である。
【００１７】
上述したように、継手部材１６にてモータの駆動子と内刃３とを連結し、内刃３の刃片７の外周面を外刃４の内面に摺接させることで、外刃４の刃孔９から導入した髭を内刃３の刃片７と外刃４との間で挟み切り、シェービングが行われるようにされている。シェービング後の髭の切りかすは、継手部材１６の髭クズ落とし孔２５を通って下方に落下され、刃ヘッド部１内に収納されるようになっている。従来技術の項でも述べたが、シェービング後に刃ヘッド部１内の掃除をしないで、再びシェービングを行うと、内刃３が刃ヘッド部１内に残留した髭の切りかすを巻き込んで摺動するから、この髭の切りかすが外刃４の刃孔９から外方へ飛散してしまう恐れがある。本例の内刃３では構造的に上記恐れを無くするような工夫が為されている。以下、詳述する。
【００１８】
本例の内刃３は、並設された刃片７間の溝２６の溝幅寸法Ａとこの刃片７の内外方向の厚み寸法Ｂとの関係に特徴を有している。つまり、図１に示すように、各刃片７の内外方向の厚み寸法Ｂを溝幅寸法Ａの約１／２以下に設定しているのである。なお、この内刃３では、刃片７間の溝幅寸法Ａは０．７ｍｍ、刃片７の内外方向の厚み寸法Ｂは０．３５ｍｍ、刃片７の幅寸法Ｃは０．４２ｍｍ、刃片７の刃ピッチＤは１．１２ｍｍ、刃片７間の溝２６の開口率は約６３％に設定されており、刃片７の内外方向の厚み寸法Ｂは溝幅寸法Ａの１／２になっている。内刃３にこのような構成を備えることで、刃ヘッド部１内に残留した髭の切りかすの刃ヘッド部１外への飛散率を低減できるのである。
【００１９】
図５には、上記内刃３における、摺動振動数を１３０００（ストローク／分）、摺動振幅を２．８ｍｍとした場合の、刃片７の内外方向の厚み寸法Ｂと、髭の切りかすの刃ヘッド部１外への飛散率（％）との関係を表すグラフを示す。このグラフから分かるように、０．７ｍｍの溝幅寸法Ａを有した刃片７における内外方向の厚み寸法Ｂが０．３５ｍｍを越えると、髭の切りかすの刃ヘッド部１外への飛散率が急激に上昇していくのである。しかして、内刃３の構造を、刃片７の内外方向の厚み寸法Ｂが溝幅寸法Ａの１／２以下にすると、刃ヘッド部１内に残留した髭の切りかすの刃ヘッド部１外への飛散率を低減できるのである。
【００２０】
なお、図６には刃片７の内外方向の厚み寸法Ｂを０．３５ｍｍにした場合（本例）の、図７には刃片７の内外方向の厚み寸法Ｂを０．５５ｍｍにした場合（比較例）の、刃ヘッド部１内に残留した髭の切りかすの動きを示す。ここで図中２７は外刃の刃孔縁部であり、各内刃３は０．７ｍｍの溝幅寸法Ａを有したものを使用している。
【００２１】
図６に示すように、刃片７の内外方向の厚み寸法Ｂを０．３５ｍｍにした場合、つまり厚み寸法Ｂが溝幅寸法Ａの１／２にされた場合には、刃片７の摺動方向に面する面積が小さくなっていることから、内刃３が摺動して刃ヘッド部１内に残留した髭の切りかすが巻き上げられ、一の刃片７に当り［図６（ａ）］、その衝撃で跳ね返って隣接する刃片７に当ったとしても［図６（ｂ）］、上記巻き上げられた髭の切りかすの大部分は、更に一の刃片７に当ることなく、下方に落下するのである［図６（ｃ）］。つまり、刃片７の摺動方向に面する面積が小さいと、刃片７間での髭の切りかすの跳ね返りの発生を少なくでき、髭の切りかすの刃ヘッド部１外への飛散を低減できるのである。
【００２２】
これに対して、図７に示すように、刃片７の内外方向の厚み寸法Ｂを０．５５ｍｍにした場合、つまり厚み寸法Ｂが溝幅寸法Ａの１／２以上にされた場合には、刃片７の摺動方向に面する面積が大きくなっていることから、内刃３が摺動して刃ヘッド部１内に残留した髭の切りかすが巻き上げられ、一の刃片７に当り［図７（ａ）］、その衝撃で跳ね返って隣接する刃片７に当り［図７（ｂ）］、更に刃片７間で幾度となく跳ね返りを重ねて勢いを増し、この勢いによって上記巻き上げられた髭の切りかすは外刃４の刃孔９から刃ヘッド部１外に飛散してしまうのである［図７（ｃ）］。つまり、刃片７の摺動方向に面する面積が大きいと、刃片７間での髭の切りかすの跳ね返りの発生を助長させ、髭の切りかすの刃ヘッド部１外への飛散を促してしまうのである。
【００２３】
なお、発明者は、様々に寸法設定を変化させた内刃３で上述した実験を繰り返したところ、溝幅寸法Ａが１．５ｍｍ以上に設定した内刃３の場合には、図７に示すよう、刃ヘッド部１内に残留していた髭の切りかすが内刃３の摺動によって巻き上げられても、刃片７間の距離が大きいため、刃片７間で幾多も跳ね返ることはなく、髭の切りかすが刃ヘッド部１外に飛散してしまうことは殆どないことが分かった。しかして、上述した内刃３の構造を、刃片７の内外方向の厚み寸法Ｂが溝幅寸法Ａの１／２以下にすると、刃ヘッド部１内に残留した髭の切りかすの刃ヘッド部１外への飛散率を低減できるといったことは、溝幅寸法Ａが１．５ｍｍ以下の内刃３において特に有効である。
【００２４】
なお、本例の内刃３は上記利点に加え、下記の利点をも有している。
【００２５】
まず、内刃３の摺動方向の両端面を構成するガード片１０の摺動方向の外側端面１０ａが、非切断部位である面一の垂直面に形成されていることが挙げられる。内刃３に継手部材１６を装着させる際には、一方の手の指で内刃３の摺動方向の両端部を摘むと共に、他方の手の指で継手部材１６の摺動方向の両端部を摘んで行うのであるが、上述したように内刃３の摺動方向の両端部が、非切断部位である面一の垂直面に形成されていると、内刃３を摘む指を切ってしまうことがなく、内刃３の安全性が高められるのである。なお、電気カミソリを使用しているユーザーは、継手部材１６が装着された状態の内刃３の両端部を摘んで取り替えたりするが、取替にかかるユーザーの指がガード片１０の外側端面１０ａに指が触れたとしても、ガード片１０の外側端面１０ａでは指を切ってしまう恐れがなく、このときにも安全性を確保できるのは言うまでもない。
【００２６】
また、ガード片１０の内面に縦壁２３の外周面を当接させて内刃３に継手部材１６を装着したとき、ガード片１０の摺動方向の中央側端面１０ｂよりも外位置に縦壁２３を位置させたことが挙げられる（図４）。これによると、ガード片１０の中央側端面１０ｂが縦壁２３よりも突出するので、ガード片１０の中央側端面１０ｂに確実に切り刃を設けることができると共に、摺動する内刃３によって巻き上げられた髭の切りかすが縦壁２３に当って跳ね返り、内刃３上方に飛び出ようとしても、縦壁２３よりも突出するガード片１０がこの髭の切りかすを内刃３内に留めるように抑えるようできるのである。
【００２７】
また、本例の内刃３は、薄板を略逆Ｕ字状にプレス曲げして製作されているが、絞り加工やエッチング加工でも対応でき、また、電気鋳造によればより精度良く加工が行い得るのである。
【００２８】
図９には、本発明の実施の形態の他例を示す。この例は、摺動方向の刃片７の幅寸法Ｃを基部８に近接した部位程大きく形成した例である。これによると、刃片７の幅寸法Ｃを基部８に近づくほど大きくすることで、刃片７自身の剛性の向上が図られているのである。なお、この例の内刃３は、摺動方向の中央部分における刃片７間の溝２６を形成するスリットが基部８に浅く切り込まれ、摺動方向の両端部分における刃片７間の溝２６を形成するスリットが基部８に深く切り込まれている。この刃片７間の溝２６を基部８に深く切り込ませたことで、髭を切断する際に刃片７をしならせて髭の切断音を発生させ、電気カミソリを使用するユーザーに髭が切断されていることの実感を感じさせ得ることが図られている。そして、この比較的しなるようにされた刃片７を、刃片７の幅寸法Ｃが基部８に近づくほど大きくなるように形成し（図中Ｅ部分）、刃片７自身の剛性の向上を図るようにしている。したがって、内刃３が有する複数の刃片７にあっては、全体的に均一の剛性が備えられるようにされているのである。
【００２９】
図１０，１１には、本発明の実施の形態の更に他例を示す。この例は、摺動方向における各刃片７の幅寸法を、外周部で大とし、内周部で小とするように形成した例である。詳述すると、この刃片７は、切り刃となる外周縁に突起部２９を形成することで断面略Ｔ字状に形成されている。この突起部２９は、刃片７の主体を構成する刃片主体部３１から摺動方向の両側に突設されており、その突出先端には鋭利な切り刃３０が形成されている。この突起部２９を有した刃片７は、図１１に示すように切れ味よく髭を剃ることができる。また、この刃片７の下部間の溝幅寸法Ａ１が刃片７の上端間の溝幅寸法Ａ２に比べて広くなっていることから、刃ヘッド部１内に残留した髭の切りかすが内刃３の摺動によって巻き上げられても、この髭の切りかすの刃片７間での跳ね返りを発生しにくくできるのであり、更に、隣接する刃片７の対向する突起部２９同士が刃片７間の溝２６を塞ぐ格好になっているので、上記髭の切りかすが溝２６を通って刃ヘッド部１外に飛び出ようとしても、この突起部２９が内刃３内に留めるように抑えるようでき、つまり髭の切りかすの飛散防止が図られているのである。
【００３０】
図１２，１３には、本発明の実施の形態の更に他例を示す。この例は、各刃片７の外周部及び内周部に、摺動方向に突出する突起部３２をそれぞれ設けると共に、内部突起部３２ａを外部突起部３２ｂに比べて大きく突出させた例である。この突起部３２は、水平な外面と斜め内方（斜め下方）に面する傾斜面３４とを有し、外面と傾斜面３４とで角状の突出先端を形成して構成されている。刃片７は、摺動方向の両端部にそれぞれ、外周側から外部突起部３２ｂ、内部突起部３２ａを連設して形成されている。外部突起部３２ｂの突出先端は鋭角状に形成され、外刃４との間で髭を挟み切る切り刃３０を構成している。内部突起部３２ａは外部突起部３２ｂよりも大きく突出されており、その突出先端は外部突起部３２ｂの突出先端よりも大きい角度を有するように形成され、外刃４の刃孔９から内刃３の溝２６内に導入された髭を引っ掛ける髭引っ掛け部３３を構成している。
【００３１】
この内外に突起部３２を連設した刃片７は、図１３に示すように、髭の深剃りを行い得るようにしたものである。つまり、外刃４の刃孔９から内刃３の溝２６内に導入された髭は、外部突起部３２ｂより大きく突出した内部突起部３２ａにまず接触されて髭引っ掛け部３３に引っ掛かり［図１３（ａ）］、続けて内刃が摺動することで上記髭を引っ張り出すようにでき［図１３（ｂ）］、そして、髭引っ掛け部３３にて引っ張り出された髭を外部突起部３２ｂの切り刃３０で切断することができることから［図１３（ｃ）］、髭の深剃りが行われるようになっているのである。なお、この刃片７の突起部３２の傾斜面３４は内方に面して形成されているので、刃ヘッド部１内に残留した髭の切りかすが、内刃３の摺動によって巻き上げられ、刃片７間で跳ね返ったとしても、内方（下方）に面した傾斜面３４によって内方に跳ね返されることから、上記髭の切りかすは刃ヘッド部１外に飛散しにくくなり、髭の切りかすの飛散防止をも図られているのである。
【００３２】
【発明の効果】
上記のように本発明の請求項１記載の発明にあっては、髭を導入する刃孔を形成した外刃の内面に摺接して髭を切断する電気カミソリの内刃であって、略逆Ｕ字帯状に形成した複数枚の刃片を基部より起立させて摺動方向に並べて設け、各刃片間の溝幅寸法を１．５ｍｍ以下に設定すると共に、この各刃片の内外方向の厚み寸法を上記溝幅寸法の約１／２以下に設定したので、刃片の摺動方向に面する面積が小さくなり、刃片間での髭の切りかすの跳ね返りの発生を少なくできるから、髭の切りかすの刃ヘッド部外への飛散を防止できるのである。
【００３３】
また、請求項２記載の発明にあっては、請求項１の効果に加えて、摺動方向における各刃片の幅寸法を、外周部で大とし、内周部で小とするように形成したので、刃片の外周部間の溝幅寸法を小さく、刃片の内周部間の溝幅寸法を大きくでき、溝幅寸法が大きい刃片の内周部間では、摺動する内刃が巻き上げる髭の切りかすの刃片間での跳ね返りを防止することができ、また、溝幅寸法が小さい刃片の外周部間では、上記髭の切りかすの刃ヘッド部外への飛散を防止することができ、したがって、髭の切りかすの刃ヘッド部外への飛散を更に防止することができるのである。
【００３４】
また、請求項３記載の発明にあっては、請求項１の効果に加えて、各刃片の外周部及び内周部に、摺動方向に突出する突起部をそれぞれ設けると共に、内部突起部を外部突起部に比べて大きく突出するように形成したので、外刃と刃片とで髭を剃るとき、まず、外部突起部より大きく突出した内部突起部の突出先端によって髭を捕らえて引っ張り、次に、上記引っ張った状態の髭を外部突起部にて切断することができるのであり、しかして、髭の深剃りを行えるようできるのである。
【００３５】
また、請求項４記載の発明にあっては、請求項１の効果に加えて、内刃の摺動方向の両端面を、非切断部位である面一の垂直面に形成したので、内刃に継手部材を装着させる際には、一方の手の指で内刃の摺動方向の両端部を摘むと共に、他方の手の指で継手部材の摺動方向の両端部を摘んで行うのであるが、上述したように内刃の摺動方向の両端部が、非切断部位の面一の垂直面に形成されていると、内刃を摘む指を切って負傷してしまうことがなく、内刃の安全性を高めることができる。なお、電気カミソリを使用しているユーザーは、継手部材が装着された状態の内刃を取り替えたりするものであるが、取替にかかるユーザーの指が内刃の摺動方向の両端部に触れたとしても指を切ってしまう恐れがなく、このときにも安全性を確保できるのは言うまでもない。
【００３６】
また、請求項５記載の発明にあっては、請求項１の効果に加えて、摺動方向の刃片の幅寸法を、基部に近接した部位程大きく形成したので、刃片自身の剛性の向上を図ることができるのである。
【００３７】
また、請求項６記載の発明にあっては、請求項１の効果に加えて、内刃を下方に開口せる略逆Ｕ字状に形成し、モータと内刃とを連結する継手部材を内刃の下方開口から内部に挿入したとき、継手部材の摺動方向の両端部に立設した縦壁の外周面が内刃の摺動方向の端部に位置した刃片の内面に当接したので、継手部材を装着した内刃の剛性の向上が図られるのであり、また、刃片の摺動方向の中央側端面よりも外位置に縦壁が位置するようにしたので、縦壁の当接する刃片の中央側端面が縦壁よりも摺動方向の中央側に突出し、刃片の中央側端面に確実に切り刃を設けることができると共に、摺動する内刃によって巻き上げられた髭の切りかすが縦壁に当って跳ね返って内刃上方に飛び出ようとしても、縦壁よりも突出した刃片が上記髭の切りかすを抑えるようにでき、髭の切りかすの刃ヘッド部外への飛散を防止できるのである。
【図面の簡単な説明】
【図１】本発明の実施の形態の例を示す内刃の断面図である。
【図２】同上の内刃、継手部材を示す分解斜視図である。
【図３】同上の継手部材を装着した内刃の正面図である。
【図４】同上の継手部材を装着した内刃であり、（ａ）は一部破断した正面図であり、（ｂ）は（ａ）の右側面図である。
【図５】同上の刃片の内外方向の厚み寸法と髭の切りかすの刃ヘッド部外への飛散率との関係を示すグラフである。
【図６】（ａ）（ｂ）（ｃ）は、同上の内刃の摺動による髭の切りかすの動作を説明する説明図である。
【図７】（ａ）（ｂ）（ｃ）は、比較例の内刃の摺動による髭の切りかすの動作を説明する説明図である。
【図８】同上の電気カミソリの分解斜視図である。
【図９】本発明の実施の形態の他例を示す内刃の正面図である。
【図１０】本発明の実施の形態の更に他例を示す内刃の断面図である。
【図１１】（ａ）（ｂ）（ｃ）は、同上の内刃による髭剃りの動作を説明する説明図である。
【図１２】本発明の実施の形態の更に他例を示す内刃の断面図である。
【図１３】（ａ）（ｂ）（ｃ）は、同上の内刃による髭剃りの動作を説明する説明図である。
【符号の説明】
１　刃ヘッド部
２　グリップ部
３　内刃
４　外刃
７　刃片
８　基部
９　刃孔
３２　突起部
３２ａ　内部突起部
３２ｂ　外部突起部
１６　継手部材
２３　縦壁
【図１】
2004016530.tif 000003
【図２】
2004016530.tif 000004
【図３】
2004016530.tif 000005
【図４】
2004016530.tif 000006
【図５】
2004016530.tif 000007
【図６】
2004016530.tif 000008
【図７】
2004016530.tif 000009
【図８】
2004016530.tif 000010
【図９】
2004016530.tif 000011
【図１０】
2004016530.tif 000012
【図１１】
2004016530.tif 000013
【図１２】
2004016530.tif 000014
【図１３】
2004016530.tif 000015